(57)【要約】【課題】スライド板と押し板との相対移動時にそれらスライド板および押し板相互間の移動が円滑に行えるようにする。【解決手段】スライド板４と押し板７との相対移動時にその相対移動を円滑に案内するガイドローラ１４Ａ，２４，２４Ａを、押し板支持フレーム８の下部支持部材８ｄの前端部（積荷押動方向後端部）および後端部に設ける。【選択図】　　　　　図３
2004017720.tif 000002
【特許請求の範囲】
【請求項１】
荷台上に、車両の前後方向に往復動可能なスライド板を有するとともに、このスライド板上に荷押し用の押し板を有する貨物運搬車両の荷降ろし装置において、
前記スライド板と押し板との相対移動時にその相対移動を円滑に案内するガイドローラを設けることを特徴とする貨物運搬車両の荷降ろし装置。
【請求項２】
前記ガイドローラは、前記押し板の下部で押動方向の前端側および／または後端側の左右にそれぞれ取り付けられ、前記スライド板の上面に接して転動するように構成される請求項１に記載の貨物運搬車両の荷降ろし装置。
【発明の詳細な説明】
【０００１】
【発明の属する技術分野】
本発明は、車両の前後方向に往復動可能なスライド板とそのスライド板上に配される荷押し用の押し板とによって荷台上の貨物を荷降ろしする貨物運搬車両の荷降ろし装置に関するものである。
【０００２】
【従来の技術】
従来、バラ物等の貨物を積載して運搬する車両（トラック）において、荷台上の貨物の荷降ろし方法としては、所謂ダンプ方式によって荷台を傾斜させて排出する方法が一般的に採用されている。このほかに、例えばチップ材など積載容積の大きなバラ物貨物を取り扱う長尺荷台の車両のように、前記ダンプ方式を採用することが困難な車両においては、車両を専用のプラットフォーム上に載せて、そのプラットフォームごと傾斜させて貨物を荷降ろしする方法が採用されている。
【０００３】
また、他の荷降ろし方法として、例えば特許第３０６２５６８号公報に開示されているように、荷台上に前後動可能なスライド板を設けるとともに、このスライド板上に隔壁板を設け、この隔壁板を荷台上でキャビン側から後端側へ向けて移動させて徐々に積荷を荷降ろしするようにしたものがある。この荷降ろし方法では、前記隔壁板を左右の荷台側板に係止可能に構成して、係止時にはスライド板のみを移動させ非係止時には隔壁板とスライド板をともに移動させ、スライド板の車両後方への移動時に隔壁板をともに移動させて積荷を押出し、隔壁板を係止状態にした後にスライド板を後退させるようにして、順次積荷を押し出して排出（荷降ろし）するようにされている。
【０００４】
【発明が解決しようとする課題】
ところで、前記特許第３０６２５６８号公報に記載の荷降ろし装置のように、押し板（隔壁板）によって積荷を車両後方へ押しながら荷降ろしを行う装置においては、押し板を積荷押動方向へ移動させてその押動位置で係止した後、スライド板のみを車両前方へ向けて復動させる動作が伴うことになる。この場合、押し板はスライド板の上面に自立した状態にあって、これら押し板とスライド板とは常に摩擦係合状態にあるために、前述のスライド板の復動時に押し板の下端縁がスライド板の上面に食い込もうとする力が発生し、スライド板の復動動作がスムーズに行えず、場合によってはそのスライド板の復動動作が不能になって、荷降ろし操作に支障を来たすことになってしまう。
【０００５】
本発明は、このような問題点に鑑みてなされたもので、スライド板と押し板との相対移動時にそれらスライド板および押し板相互間の移動を円滑に行うことができ、これによって積荷の荷降ろし動作を確実に行うことのできる貨物運搬車両の荷降ろし装置を提供することを目的とするものである。
【０００６】
【課題を解決するための手段および作用・効果】
前記目的を達成するために、本発明による貨物運搬車両の荷降ろし装置は、
荷台上に、車両の前後方向に往復動可能なスライド板を有するとともに、このスライド板上に荷押し用の押し板を有する貨物運搬車両の荷降ろし装置において、
前記スライド板と押し板との相対移動時にその相対移動を円滑に案内するガイドローラを設けることを特徴とするものである。
【０００７】
本発明によれば、スライド板と押し板とを荷台後端部へ向けて一体的に移動させた後、押し板をその移動位置にて係止保持し、スライド板のみを復動させる際に、言い換えればスライド板と押し板とを相対移動させる際に、ガイドローラによってその相対移動を円滑に案内することができる。したがって、前記スライド板の復動時に押し板の下端縁がスライド板の上面に食い込むことによってスライド板の復動動作がスムーズに行えないといった事態、もしくはスライド板の復動不能の事態の発生を未然に防ぐことができ、積荷の荷降ろし動作を確実に行うことができる。
【０００８】
本発明において、前記ガイドローラは、前記押し板の下部で押動方向の前端側および／または後端側の左右にそれぞれ取り付けられ、前記スライド板の上面に接して転動するように構成されるのが好ましい。このような構成によれば、押し板の荷押し面下端部から所定距離離れた位置の左右にガイドローラを取り付けるという極めて簡易な構成で、積荷の押出し動作に支障を来たすことなく、スライド板の往復動作をスムーズに行うことができる。
【０００９】
【発明の実施の形態】
次に、本発明による貨物運搬車両の荷降ろし装置の具体的な実施の形態について、図面を参照しつつ説明する。
【００１０】
図１には、本発明の一実施形態に係る貨物運搬車両の全体縦断概要図が示され、図２には、スライド板と押し板との関係を示す図１のＡ−Ａ線断面図（ａ）およびそのＢ部拡大図（ｂ）が示されている。また、図３には、押し板支持フレームの平面図（ａ）および側面図（ｂ）が示され、図４には、図３のＣ−Ｃ線断面図が示されている。
【００１１】
本実施形態の運搬車両（以下「トラック」という。）１は、主にバラ物の貨物を運搬する長尺の荷台２を備えるロングボディ型のもので、この荷台２の両側板２ａ，２ｂが高くされて、その上部には開閉構造の覆い天板３が付設されて構成されている。
【００１２】
前記荷台２上に配された横根太の上面には摺動部２ｃが設けられるとともに、この摺動部２ｃ上には車両の前後方向に往復動可能なスライド板４が設けられ、このスライド板４を往復動させる駆動手段としての油圧シリンダ５がそのスライド板４の前端部と車両本体との間に配されている。ここで、前記スライド板４は、平板状の底板部４ａと、この底板部４ａの両側部に立設される側部片４ｂ，４ｃよりなり、底板部４ａの下面が前記横根太に設けられた摺動部２ｃに対向するとともに、側部片４ｂ，４ｃの背面が荷台２の両側板２ａ，２ｂの内側面にそれぞれ対向するように配されている。なお、前記側部片４ｂ，４ｃはその上面が荷台２の内側下方へ向けてテーパ面に形成されている。
【００１３】
前記スライド板４の上面には、トラック１のキャビン６側から後端側に向かって積荷を押し出して荷降ろしする押し板７が受支されている。この押し板７は、荷台２の両側板２ａ，２ｂの内幅にほぼ合致する幅寸法で、かつその側板２ａ，２ｂの高さ寸法に相応した高さ寸法を有する隔壁板構造で、押し板支持フレーム８に支持されて前記スライド板４上に自立するように配されている。なお、この押し板７は、前記スライド板４の側部片４ｂ，４ｃに対応する部分等がその側部片４ｂ，４ｃ等の形状に合わせて切り欠かれ、押し板７とスライド板４との相対移動時に両者が干渉しないように、かつ両者間の隙間からバラ物が漏れ出ないようにされている。
【００１４】
次に、図２〜図４を参照しつつ前記押し板７を支持する押し板支持フレーム８の詳細構造について説明する。ここで、「前」および「後」とは車両の前後方向に対応するものとする。
【００１５】
前記押し板支持フレーム８は、矩形状に枠組みされた後部フレーム８ａと、この後部フレーム８ａの上端両側部に接合されて前方へ向けて延びるコ字状の上部フレーム８ｂと、この上部フレーム８ｂの前端両側部と前記後部フレーム８ａの下端両側部とをそれぞれ連結するように傾斜配置される左右の側柱８ｃ，８ｃと、前記後部フレーム８ａの下端両側部であってその両側縁よりやや内側位置に接合されて前方へ向けて延びる２本の下部支持部材８ｄ，８ｄと、各部材間に配される補強部材等を備える構造とされている。このようなフレーム構造において、傾斜配置された左右の側柱８ｃ，８ｃ間に平板状の押し板７が支持されている。すなわち、この押し板７は、その押動方向に対して上部が反押動方向へ向けて傾斜配置されて積荷に対して所要のすくい角を確保するようにされている。なお、図２（ａ）において、符号７ａにて示されるのは、押し板７の中央部に設けられた点検用扉である。
【００１６】
前記押し板支持フレーム８の下部支持部材８ｄ，８ｄには、前後左右に計４個の係止部材（係止手段）９，９；１０，１０が設けられている。これら係止部材９，１０は、前記スライド板４が荷台後端部へ向けて移動される際に押し板７をそのスライド板４に係止する役目をするものであって、圧縮コイルばね１１；１２，１２のばね力によって押し棒９ａ，９ａ；１０ａ，１０ａをスライド板４の内側面に向けて付勢するように構成されるとともに、これら押し棒９ａ，９ａ；１０ａ，１０ａの先端部に取着されるブレーキパッド１３がスライド板４の側部片４ｂ，４ｃに押し付けられるように構成されている。
【００１７】
また、前記下部支持部材８ｄ，８ｄには、前側の係止部材１０，１０より前端寄りの位置に、前記押し板７の傾き防止機構としてのガイドローラ１４，１４が取り付けられている。このガイドローラ１４，１４は、下部支持部材８ｄ，８ｄの側面に外側へ向けて取着され、側部片４ｂ，４ｃの内側面に接して転動することにより、押し板支持フレーム８の移動時に押し板７の荷押し面が押動方向に対して常に略直交する方向を向くようにその押し板７の平行度を保持する役目をする。
【００１８】
また、前記下部支持部材８ｄ，８ｄの前端部（押動方向の後端部）の左右には、ブラケットを介してガイドローラ１４Ａ，１４Ａが取り付けられている。これらガイドローラ１４Ａ，１４Ａは、押し板支持フレーム８とスライド板４とを相対移動させる際に、すなわち後述するように押し板支持フレーム８を後述のラッチ機構１５にて係止させた状態でスライド板４を復動させる際に、スライド板４が押し板支持フレーム８に対して円滑に移動するようにその移動動作を案内する役割をする。このガイドローラ１４Ａ，１４Ａを設けることによって、スライド板４の復動動作時に押し板支持フレーム８の下端縁がスライド板４の上面に食い込むといった不具合の発生を未然に防ぐことができる。この結果、積荷の荷降ろしに際してスライド板４の往復動作を円滑に行うことが可能となって、積荷の荷降ろし動作を確実に行うことができる。
【００１９】
一方、前記押し板支持フレーム８における側柱８ｃ，８ｃの上端部の左右両端部には、ラッチ機構１５の可動部が取り付けられている。このラッチ機構１５は、荷台両側板２ａ，２ｂの上端部の内側に全長にわたって固着される支持部材１６の上面に配設されるラッチ歯１７と、前記押し板支持フレーム８の側柱８ｃの上端部両肩部上に軸受１８で支承される支持軸１９の外端に取り付いて前記ラッチ歯１７と係合・離脱可能にされたラッチ爪２０と、このラッチ爪２０に係止力を付勢するとともに後退時に反転できるようにするラッチ操作手段２１とで構成されている。
【００２０】
ここで、前記ラッチ操作手段２１は、押し板７の背面部に取り付けられるモータシリンダ２２と、このモータシリンダ２２の出力ロッド上端に連結されるスプリング式の緩衝器２３を備え、この緩衝器２３のロッド先端部が接続ロッド等を介してラッチ爪２０に連結されることで、前記緩衝器２３によって、押し板７の移動時にラッチ爪２０がラッチ歯１７を乗り越えるのを許容するとともに、逆動するのを阻止して所要の係合力が得られるようにされている。こうして、スライド板４を介して押し板７が車両後端側へ向けて所定ピッチだけ押動されると、ラッチ爪２０がラッチ歯１７を所定個数乗り越えてその戻り方向への移動が阻止されることにより、押し板７がその押動位置に保持される。
【００２１】
次に、図５を参照しつつ、本実施形態のトラック１における積荷の荷降ろし態様について説明する。
【００２２】
荷台２上に積載されたバラ物貨物の荷降ろしを行うには、荷台２後部の扉を開いた後、図５（ａ）に示されるように、油圧シリンダ５を作動させて荷台２の摺動部２ｃ上に位置するスライド板４を所定ストローク後方へ移動させる。すると、そのスライド板４に対し係止部材９，１０により係止された状態にある押し板支持フレーム８（押し板７）はそのスライド板４とともに移動する。このとき、スライド板４の移動によって荷台２の内部に積み込まれているバラ荷Ｘは、荷台２後端から後方に押出されたスライド板４上に載って押出される。
【００２３】
このスライド板４が１ストローク分移動すると、押し板フレーム８および押し板７は、その上端の肩部に配されているラッチ爪２０が荷台側板２ａ，２ｂの上部内側に沿って設けられているラッチ歯１７の上を複数ピッチに亙り乗り越えて移動する。この際、ラッチ爪２０は、緩衝器２３内のスプリングによる緩衝作用によってラッチ歯１７を乗り越えると速やかに引き下げられ、その乗り越えたラッチ歯１７の後側に爪先が係合する。
【００２４】
次いで、図５（ｂ）に示されるように、油圧シリンダ５が元の状態に引き戻されると、押し板７は、ラッチ爪２０が荷台側板２ａ，２ｂの上部内側に配列されているラッチ歯１７に係止されるので、移動した位置にとどまり、スライド板４のみが１ストローク分元の位置に復帰する。なお、このスライド板４の復帰時においては、ラッチ爪２０とラッチ歯１７との係止力によって、押し棒９ａ，１０ａ先端部のブレーキパッド１３とスライド板４の側部片４ｂ，４ｃとの間には滑りが生じて押し板７が共に移動することはない。また、スライド板４と押し板支持フレーム８下端部との接当部にはガイドローラ１４Ａ，１４Ａが配されていて、これらガイドローラ１４Ａ，１４Ａによってスライド板４の移動動作が案内されるので、スライド板４は円滑に元の位置に復帰する。こうして、スライド板４が荷台２の後端から突き出した上に位置するバラ荷Ｘは支えを失って荷台後端から荷受している個所（例えばピット内）に落下排出される。
【００２５】
次に、再び油圧シリンダ５を１ストローク分押出すと、スライド板４が再び後方へ向けて移動する。これに伴い前述と同様にして、ラッチ爪２０がラッチ歯１７を複数ピッチ乗り越えて移動し、この移動したスライド板４はその移動１ストローク分荷台２の後端から突き出される。この後、前述のようにスライド板４を引き戻すと、押し板７が移動位置で停止され、突き出された分のバラ荷がスライド板４の復帰とともに荷受個所に落下排出される。
【００２６】
以後この動作を繰り返すことにより、図５（ｃ）で示されるように、実質的に押し板７が後方へ移動して行き、荷台２内部に積載されているバラ荷Ｘが荷台後方から押出されて排出されることになる。こうして、最終的に図５（ｃ）で鎖線Ｙによって示されるように、押し板７が最後端位置まで移動するとすべてのバラ荷Ｘが荷降ろしされる。
【００２７】
本実施形態においては、スライド板４と押し板支持フレーム８（押し板７）との相対移動を案内するためのガイドローラ１４Ａを押し板支持フレーム８の下部支持部材８ｄの前端部に設けたものを説明したが、このガイドローラは、前記下部支持部材８ｄの後端部（押動方向前端部）側にも設けることができる。図６に示される実施形態によれば、ガイドローラ２４，２４Ａを介してスライド板４と押し板支持フレーム８とを前後左右の４点で相互に接触させる構成とすることができ、スライド板４の復動時におけるそのスライド板４および押し板支持フレーム８の相対移動をより円滑なものとすることができる。ただし、下部支持部材８ｄの後端部側に設けるガイドローラ２４，２４Ａは積荷との干渉が生じないように押し板支持フレーム８の下部空間位置に配置することが必要である。
【図面の簡単な説明】
【図１】図１は、本発明の一実施形態に係る貨物運搬車両の全体縦断概要図である。
【図２】図２は、スライド板と押し板との関係を示す図１のＡ−Ａ線断面図（ａ）およびそのＢ部拡大図（ｂ）である。
【図３】図３は、押し板支持フレームの平面図（ａ）および側面図（ｂ）である。
【図４】図４は、図３のＣ−Ｃ線断面図である。
【図５】図５（ａ）（ｂ）（ｃ）は、積荷の荷降ろし態様説明図である。
【図６】図６（ａ）（ｂ）は、他の実施形態に係る押し板支持フレームの構造を示す図である。
【符号の説明】
１　　　　　　貨物運搬車両（トラック）
２　　　　　　荷台
４　　　　　　スライド板
４ｂ，４ｃ　　側部片
７　　　　　　押し板
８　　　　　　押し板支持フレーム
８ｃ　　　　　側柱
８ｄ　　　　　下部支持部材
９，１０　　　係止部材
９ａ，１０ａ　押し棒
１３　　　　　ブレーキパッド
１４　　　　　ガイドローラ
１４Ａ　　　　ガイドローラ
１５　　　　　ラッチ機構
１６　　　　　支持部材
１７　　　　　ラッチ歯
２０　　　　　ラッチ爪
２１　　　　　ラッチ操作手段
２４，２４Ａ　ガイドローラ
【図１】
2004017720.tif 000003
【図２】
2004017720.tif 000004
【図３】
2004017720.tif 000005
【図４】
2004017720.tif 000006
【図５】
2004017720.tif 000007
【図６】
2004017720.tif 000008